【手続補正書】
【提出日】平成19年1月22日(2007.1.22)
【手続補正１】
【補正対象書類名】明細書
【補正対象項目名】特許請求の範囲
【補正方法】変更
【補正の内容】
【特許請求の範囲】
【請求項１】
複数のメッセージ送信装置と連結するローカル実在点（ＰＯＰ）サーバと、
メッセージ警告タイプ選択部と、ユーザにより構成される到来メッセージフィルタ部とを含む、上記ＰＯＰサーバと連結する装置独立メッセージ通知システムと、
上記メッセージ通知システムに連結し、上記メッセージ警告タイプ選択部に従いメッセージ警告を受け取る、複数の受信装置と
を含む、メッセージ警告システム。
【請求項２】
上記ＰＯＰサーバが、
電話ネットワークを経由して上記複数のメッセージ送信装置に接続するための電話方式サーバと、
データネットワークを経由して上記複数のメッセージ送信装置に連結するデータサーバとを含む、請求項１に記載のメッセージ警告システム。
【請求項３】
データネットワークに連結し、
複数の種々のメッセージ送信装置から発生する複数のメッセージを受信し、
複数の受信メッセージのうち選択されたものを受信すれば複数の受信装置に通知する、メッセージ通知システムにおいて、
複数の種々のメッセージ送信装置に連結し、複数のメッセージを受信する、ウエブサーバと、
上記ウエブサーバに連結し、ユーザ定義の基準を利用して複数の受信メッセージのうちから選択されたものを獲得し、メッセージ警告を生成する、メッセージ通知部とを含み、
上記ウエブサーバは上記メッセージ警告を受信し、データネットワークを利用して上記メッセージ警告を複数の受信装置に供給する、
メッセージ通知システム。
【請求項４】
複数の種々のメッセージ送信装置に連結し、複数のメッセージをデータネットワークと互換可能なフォーマットで上記ウエブサーバに供給する、ローカルＰＯＰサーバを更に含み、
上記フォーマットが、ストリームオーディオと、ＴＩＦＦ／ＧＩＦファイルと、及び電子メールとを含む、請求項３に記載のメッセージ通知システム。
【請求項５】
上記ウエブサーバが、上記メッセージ通知部に、受信された複数のメッセージの各々に対してメッセージタイプを条件指定する識別子を、供給する、請求項３又は４に記載のメッセージ通知システム。
【請求項６】
上記ユーザ定義の基準が、複数の受信装置に通知するのに複数の受信メッセージから選択するため、上記メッセージタイプを利用し、
上記ユーザ定義の基準が、
複数のメッセージの発生者の間を区別する、発生識別部と、
複数のメッセージ送信装置の間の区別をする、メッセージタイプ識別部と
を含む、請求項３乃至５のうちいずれか一に記載のメッセージ通知システム。
【請求項７】
上記メッセージ通知部に連結し、複数の受信装置に上記メッセージ警告が通知されるように指定する、メッセージ警告タイプ選択部を、更に含み、
上記ウエブサーバが複数の受信されたメッセージのうちから選択されたものを受信したときに、上記の指定された複数の受信装置に上記メッセージ警告を通知する、
請求項３乃至６のうちいずれか一に記載のメッセージ通知システム。
【請求項８】
上記装置独立メッセージ通知システムが、上記ＰＯＰサーバを経由してメッセージを送信するメッセージ送信装置のタイプに関わり無く、受信されるメッセージのユーザに警告を発する、請求項１又は２に記載のメッセージ警告システム。
【請求項９】
上記ＰＯＰサーバ及び上記装置独立メッセージ通知システムとに連結し、
上記ＰＯＰサーバからメッセージを受信し、
上記受信メッセージに係る情報を上記メッセージ通知システムに供給し、
上記メッセージ警告を上記複数の受信装置に供給する、
ウエブサーバを更に含む、請求項１、２又は８に記載のメッセージ警告システム。
【請求項１０】
上記メッセージ警告タイプ選択部が、上記メッセージ警告を受け取る上記複数の受信装置のうちの一つを選択するオプションを、ユーザに提供する、請求項１、２、８又は９に記載のメッセージ警告システム。
【請求項１１】
上記到来メッセージフィルタ部が、複数の受信メッセージの間を区別するためのユーザ構成基準を含み、
上記ユーザ構成基準が、
メッセージの発生者を区別する、発生識別部と、
メッセージの受容者を区別する、受容識別部と
を含む、請求項１、２、８、９又は１０に記載のメッセージ警告システム。
【請求項１２】
上記メッセージ警告が、データネットワークを利用して、上記メッセージ通知システムにより上記複数の受信装置の一つに伝達されるメッセージである、請求項１、２、８、９、１０又は１１に記載のメッセージ警告システム。
【請求項１３】
１）上記複数のメッセージ装置が、
電話、
ファックス機、
コンピュータ、若しくは、
電子メールアドレスを含み、
２）上記メッセージに関する上記情報が、
音声メール、電子メール、若しくはファックスを含むメッセージタイプ標識部、
利用可能であれば送信者ＩＤ、及び、
利用可能であれば題目を含み
３）上記メッセージ警告タイプ選択部が、
ファックス、
電子メール、若しくは、
ページャを含み、
４）上記複数のメッセージが、
電子メール、
音声メール、若しくは、
ファックスメッセージを含む
ことを特徴とする請求項１、２、８、９、１０、１１又は１２に記載のメッセージ警告システム。
【請求項１４】
複数のメッセージのうちから選択されたものを受信すればユーザに警告する方法であって、
複数のメッセージは、複数の遠隔通信装置から生成され、
該方法は、ユーザ選択基準に従って複数の遠隔通信装置によりユーザに警告し、
該方法は、
データネットワークによって複数のメッセージを受信する工程と、
メッセージタイプに従い、複数の受信メッセージの間で区別する工程と、
メッセージタイプに従い、複数のメッセージのうちから選択する工程と、
複数の遠隔通信装置のどのものをも利用して、複数のメッセージのうちから選択されたものが受信されればユーザに警告する工程とを含む、
方法。
【請求項１５】
受信されたメッセージに関してユーザに対し選択して警告する方法であって、該メッセージは予め選択された基準に従いフィルタが掛けられ、ユーザは予め選択された遠隔通信装置によって警告され、
上記方法は、
ａ）複数の種々の装置タイプから受信されたメッセージを認識するためのデータサーバを設定する工程と、
ｂ）ユーザにより定義され予め選択された基準に従い、受信されたメッセージに対し、複数の種々の装置タイプ間で区別するフィルタをかける工程と、
ｃ）複数の警告受信装置タイプから選択される、予め選択された遠隔通信装置によって、ユーザに警告する工程とを含み、
ｄ）上記警告を受信する、予め選択された遠隔通信装置のタイプが、受信メッセージが発生する複数の種々の装置タイプとは、無関係である、
方法。
【請求項１６】
複数の種々の装置タイプが、ファックス、電話、電子メールを送信するコンピュータ装置を含む、請求項１５に記載の方法。
【請求項１７】
上記のフィルタをかける工程が、
ａ）メッセージ発生者ＩＤ間を区別する工程と、
ｂ）ファックス、電子メール、及び音声メッセージ間を区別する工程とを含む、
請求項１５又は１６に記載の方法。
【請求項１８】
メッセージ発生者ＩＤが、電話番号、ＩＰアドレス、及び電子メールアドレスを含む、請求項１５乃至１７のうちのいずれか一に記載の方法。
【請求項１９】
複数の警告受信装置タイプが、ファックス機、ページャ、及び電話を含む、請求項１５乃至１８のうちのいずれか一に記載の方法。